(57)【要約】【課題】  配線接続作業を容易にし、また配線接続後の配線を整理して収納することが可能なＡＶ機器の収納ラックを提供することを目的とする。【解決手段】  収納部１，２を複数段、積み重ねた収納ラック本体と、該収納ラック本体の最下段の収納部の下に取り付けられた引き出し５と、該収納ラック本体の下に取り付けられた収納ラック移動用の回動輪４とを有するＡＶ機器の収納ラックによる。【選択図】  図３
0003107053.tif 000002
【実用新案登録請求の範囲】
【請求項１】
収納部を複数段、積み重ねた収納ラック本体と、
該収納ラック本体の最下段の収納部の下に取り付けられた引き出しと、
該収納ラック本体の下に取り付けられた収納ラック移動用の回動輪とを有することを特徴とするＡＶ機器の収納ラック。
【請求項２】
前記収納ラック本体の各収納部のほぼ中央後方に、ＡＶ機器の配線や電源線を通す配線通し孔が形成されていることを特徴とする請求項１に記載のＡＶ機器の収納ラック。
【請求項３】
前記各収納部に形成された配線通し孔は平面上、同じ位置に形成されていることを特徴とする請求項２に記載のＡＶ機器の収納ラック。
【請求項４】
前記各収納部に形成された配線通し孔は、複数個であることを特徴とする請求項２又は３に記載のＡＶ機器の収納ラック。
【考案の詳細な説明】
【技術分野】
【０００１】
本考案は、ＡＶ機器（オーディオ機器やビディオ機器）を収納する収納ラックに関する。
【背景技術】
【０００２】
ＡＶ機器は、電源装置、ＤＶＤ装置、ＣＤ装置、画像装置、スピーカーなどの複数のコンポーネントから成り立っており、各コンポーネント間を所定の適正な配線接続をし、電源を供給することにより動作させることができる。
【０００３】
一般に、スペースの有効利用を図るため、これらのＡＶ機器のいくつかは複数段に分かれたボックスを備える収納ラックにコンパクトに収納されている。
【考案の開示】
【考案が解決しようとする課題】
【０００４】
ところで、各装置の配線接続端子は装置の裏側に設けられているので、装置の裏側に回って配線接続する必要があり、一般に面倒で煩雑な作業が要求される。また配線接続が無事に終わっても、収納ラックからはみ出した配線が入り乱れた状態になって見苦しいという問題がある。さらに収納ラックの裏側では埃が溜まり易いにもかかわらず、埃を取り除き難いので、衛生上や安全上も問題である。
【０００５】
本考案はかかる点に鑑みて創作されたものであり、配線接続作業を容易にし、また配線接続後の配線を整理して収納することが可能なＡＶ機器の収納ラックを提供することを目的とする。
【課題を解決するための手段】
【０００６】
本願考案のＡＶ機器の収納ラックは、収納部を複数段、積み重ねた収納ラック本体と、該収納ラック本体の最下段の収納部の下に取り付けられた引き出しと、該収納ラック本体の下に取り付けられた収納ラック移動用の回動輪とを有することを特徴とする。
【０００７】
また、前記ＡＶ機器の収納ラックにおいて、収納ラック本体の各収納部のほぼ中央後方に、ＡＶ機器の配線や電源線を通す配線通し孔が形成されていることを特徴とする。
【０００８】
さらに、前記各収納部に形成された配線通し孔は平面上、同じ位置に形成されていることを特徴とする。
【０００９】
また、前記各収納部に形成された配線通し孔は、複数個であることを特徴とする。
【考案の効果】
【００１０】
以上のように、本願考案によれば、収納ラックに移動用の回動輪を備えているので、収納ラックを動かしたり、その向きを簡単に変えたりすることができる。このためＡＶ機器の裏側に設けられた配線端子群に対して行う配線接続作業も容易に行うことができる。また、各ボックスの後方中央に形成された配線通し穴を通して装置間の配線が行われるので、配線が収納ラックの外に出てしまうこともない。さらに、配線の長さが長すぎたときの余分の配線は、収納ラックの引き出しの中に収納することができる。また、各装置の電源線を集めたタップを引出しの中に収納することができる。このように、本願の収納ラックから外に現れるのは、タップから出て行く一本の主電源線やスピーカー接続用配線など、最低限の配線に限られるので、非常にコンパクトな収納が可能となる。
【考案を実施するための最良の形態】
【００１１】
以下に、本考案の実施の形態について、添付図面を参照しながら詳細に説明する。
【００１２】
図１は、本考案の実施形態に係る収納ラックの正面斜視図であり、図２は、背面斜視図である。また、図３は本考案の実施形態に係る収納ラックの引出しを後方へ引出した状態を示す背面斜視図である。
【００１３】
また図４は正面図、図５は背面図、図６は平面図、図７は底面図、図８は左側面図である。
【００１４】
さらに、図９は図４の正面図におけるＡ−Ａ線から見た断面図であり、図１０は図７の底面図におけるＢ−Ｂ線から見た断面図である。
【００１５】
図において、１は上側のＡＶ機器収納部であり、一枚の鉄板を折り曲げて形成される。１aは上側のＡＶ機器収納部の後方に形成された配線通し穴である。また、２も同様に、一枚の板を折り曲げて形成された下側のＡＶ機器収納部であり、その後方には、配線通し穴２aが形成されている。上側のＡＶ機器収納部１は下側のＡＶ機器収納部２に溶接により固着しているが、ネジ止めでもよい。
【００１６】
ＡＶ機器収納部２の下には基台３が設けられており、下側のＡＶ機器収納部２と基台３は溶接接続されている。基台３にも同様の配線通し穴３aが形成されている。なお、上側のＡＶ機器収納部１の配線通し穴１a、下側のＡＶ機器収納部２の配線通し穴２a、基台３の配線通し穴３aは、平面上、同じ位置に形成されている。
【００１７】
４は収納ラック移動用のキャスタであり、凸形状のキャスタ取り付け部4aを介して基台３の下に四隅に取り付けられている（図１０参照）。また基台３の下には引出し支持部5aによって支持された引出し５が設けられている。図３に示すように、引き出し５は床に当たらないようになっており、後方へ引出し自在となっている。凸形状のキャスタ取り付け部4aや引出し支持部5aも基台３に溶接により固着しているが、ネジ止めであってもよい。
【００１８】
次に、図１１を参照しながら、本考案の実施形態に係る収納ラックを使用方法について説明する。
【００１９】
まず、収納ラックの上側のＡＶ機器収納部１、下側のＡＶ機器収納部２のそれぞれに所定のＡＶ機器７，８を収納する。また、上側のＡＶ機器収納部２の上にテレビなどの画像表示装置６を置く。
【００２０】
次いで、上側のＡＶ機器収納部の配線通し穴１a、下側のＡＶ機器収納部２の配線通し穴２a、基台３の配線通し穴３aを利用して、画像表示装置６や各ＡＶ機器７，８の接続端子を配線で接続する。同様に、各装置の電源線を配線通し孔１a、２a、３aを利用して、引出しの中に置いたコンセントのタップ９に接続する。そして、タップ９の電源線１０を壁のコンセント（不図示）に接続する。さらに、画像表示装置６のアンテナ線１１を配線通し孔を利用して壁の接続端子（不図示）につなぐ。同様に、各スピーカーへの配線12a、12bを左右のスピーカー（不図示）に接続する。
【００２１】
以上、説明したように、本考案の実施形態に係る収納ラックによれば、各ＡＶ機器７，８をＡＶ機器収納部１，２に収納するとともに、配線通し孔１a、２a、３aや引出し５を利用することによって、配線作業が容易になる。またコンセントのタップ１０や配線の一部を引出し５の中に収納することにより、余分な配線や電源線が収納ラックからはみ出ることを防止することができる。これにより、清掃も簡単になって衛生上の問題を解決することができるとともに、ショートなどを防止して安全上の問題も解決することができる。
【００２２】
なお、実施の形態では、ＡＶ機器収納部１、２の2段構成の場合を示したが、１段でも3段構成以上であってもよい。
【００２３】
また、実施の形態では、各ＡＶ機器収納部１、２や基台３にそれぞれ1個の配線通し孔１a、２a、３aを設けたが、複数個、設けてもよい。たとえば、配線通し孔を2個設け（右の孔、左の孔）、右の孔には上に向かって進む信号が流れる配線を通し、左の孔には下に向かって進む信号が流れる配線を通すように決めておけば、配線接続の間違いを少なくすることができる。なお、電源線など、方向性が無い配線については配線がやり易い孔を通せばよい。
【図面の簡単な説明】
【００２４】
【図１】本考案の実施形態に係る収納ラックの正面側斜視図である。
【図２】本考案の実施形態に係る収納ラックの背面側斜視図である。
【図３】本考案の実施形態に係る収納ラックの引出しを引出した状態を示す背面側斜視図である。
【図４】本考案の実施形態に係る収納ラックの正面図である。
【図５】本考案の実施形態に係る収納ラックの背面図である。
【図６】本考案の実施形態に係る収納ラックの平面図である。
【図７】本考案の実施形態に係る収納ラックの底面図である。
【図８】本考案の実施形態に係る収納ラックの左側面図である。
【図９】図４のＡ-Ａ線からみた断面図である。
【図１０】図７のＢ-Ｂ線からみた断面図である。
【図１１】本考案の実施形態に係る収納ラックの使用状態を説明する図である。
【符号の説明】
【００２５】
１・・・上側のＡＶ機器収納部、
２・・・下側のＡＶ機器収納部、
３・・・基台、
１a、２a、３a・・・配線通し穴、
４・・・キャスタ（回動輪）、
4a・・・キャスタ取り付け部、
５・・・引出し、
5a・・・引出し支持部、
６・・・画像表示装置（テレビ）、
７、８・・・ＡＶ機器、
９・・・タップ、
１０・・・タップの電源線、
１１・・・アンテナ線、
12a, 12b・・・スピーカーへの配線。
【図１】
0003107053.tif 000003
【図２】
0003107053.tif 000004
【図３】
0003107053.tif 000005
【図４】
0003107053.tif 000006
【図５】
0003107053.tif 000007
【図６】
0003107053.tif 000008
【図７】
0003107053.tif 000009
【図８】
0003107053.tif 000010
【図９】
0003107053.tif 000011
【図１０】
0003107053.tif 000012
【図１１】
0003107053.tif 000013